【事件の表示】
　特許第２６２５４２０号「施肥装置」の特許に対する特許異議の申立てについて、次のとおり決定する。
【結論】
　訂正を認める。
　特許第２６２５４２０号の特許を維持する。
【理由】
１．手続の経緯
　本件特許第２６２５４２０号（以下、本件特許という。）は、出願日が昭和６１年１０月９日である特願昭６１−２４１０３３号の特許出願に係り、平成９年４月１１日に設定の登録がなされ、その後、ヤンマー農機株式会社（以下、申立人という。）から特許異議の申立てがなされたものであって、取消理由通知がなされ、その指定期間内である平成１０年９月２２日に訂正請求がなされた後、訂正拒絶理由が通知され、訂正請求に対する手続補正書が提出されたものである。
２．訂正請求に対する補正の適否について
　平成１１年８月４日付け手続補正書による訂正請求書の補正は、訂正請求の要旨を変更するものではなく、特許法第１２０条の４第３項において準用する同法第１３１条第２項の規定に適合する補正と認められる。
　そして、同手続補正書により補正された平成１０年９月２２日付け訂正請求書からみて、訂正の要旨は、その「（３）訂正の要旨」の項の訂正事項ａ〜訂正事項ｃに記載されたとおりのものと認める。
３．訂正の適否
３−１．訂正の概要
　本件訂正の趣旨は、本件特許の明細書を請求書に添付した訂正明細書のとおりに訂正を求めるにあり、その訂正の要旨は、特許請求の範囲の減縮を目的として、「各副伝動ケース１５ｂに設けられた前記各々の回転軸９８の駆動力にて駆動されて上下動する各駆動ロッド９６」とあるのを「各副伝動ケース１５ｂに設けられた前記各々の回転軸９８から植付装置１９を経由せずに歯車９９・１０１を介して分岐伝動されて駆動回転し各副伝動ケース１５ｂの後端側方に突出する軸１０２に取付けたクランク９７にて駆動されて上下動する各駆動ロッド９６」と訂正し、かつ当該訂正に伴う特許請求の範囲と発明の詳細な説明の記載との整合を図るための明りょうでない記載の釈明を目的として発明の詳細な説明の項を訂正するものである。
３−２．新規事項、訂正の目的の適否及び拡張・変更の存否等について
　上記訂正事項はいずれも、願書に添付した明細書の記載の範囲内の訂正であると認められる。
　そして、上記「特許請求の範囲」に関する訂正事項は、特許請求の範囲を減縮するものであり、また、「発明の詳細な説明の項」に関する訂正事項は、特許請求の範囲の訂正に伴い明りょうでなくなった「発明の詳細な説明の項」の記載を釈明するものと認められる。
　また、これらの訂正事項は、願書に添付した明細書又は図面に記載した事項の範囲内の訂正であり、しかも実質上特許請求の範囲を拡張又は変更するものでもない。
３−３．独立特許要件について
［本件発明］
　前記訂正請求書により訂正された発明（以下、本件発明という）の要旨は、訂正された特許明細書及び図面の記載からみて、その特許請求の範囲の請求項１に記載された次のとおりのものと認める。
「乗用型走行車体１に昇降機構２２を介して主伝動ケース１５ａより動力を機体後方に伝動する前後方向に長い複数の副伝動ケース１５ｂを有する植付伝動ケース１５と該植付伝動ケース１５の上方で左右往復動する苗載台１６と各副伝動ケース１５ｂの後部に各々装着された回転軸９８にて駆動され苗載台１６に載置された苗から一株分の苗を取り出して圃場に植付ける植付装置１９と植付伝動ケース１５の下方に装着された整地フロート２０・２１とを装備する田植作業機１４を装着し、該田植作業機１４に施肥装置３９を装着した施肥装置付き乗用型田植機において、該田植作業機１４の副伝動ケース１５ｂ後部に機体左右方向に長い枠組み構成とした施肥フレーム４０の下部を固定し、該施肥フレーム４０に機体左右方向に並設した肥料タンク４１と該肥料タンク４１から肥料を繰り出す肥料繰出装置４２を装着すると共に、各副伝動ケース１５ｂに設けられた前記各々の回転軸９８から植付装置１９を経由せずに歯車９９・１０１を介して分岐伝動されて駆動回転し各副伝動ケース１５ｂの後端側方に突出する軸１０２に取付けたクランク９７にて駆動されて上下動する各駆動ロッド９６の上部を各々の回転軸９８にて駆動される植付装置１９が植付ける苗に対して肥料を繰り出す肥料繰出装置４２に各々連繋したことを特徴とする施肥装置付き乗用型田植機。」
［刊行物１記載の事項］
　平成１１年５月１７日付けの訂正拒絶理由通知を兼ねた取消理由通知で引用した刊行物１（実願昭５９−５３０３７号（実開昭６０−１６４８３１号）のマイクロフィルム。申立人の提出する甲第１号証参照。）には、次の事項が記載されている。
▲１▼施肥機の駆動について、「施肥機駆動軸３２，３３の動力は植付爪５０のクランク部にアーム１８を固設して取り出している。連動リンク１９の下端を該アーム１８に枢結し、上端をワンウェイクラッチ２０のアームに固定している。ワンウェイクラッチ２０はカップリング軸２１上に固設されているので、カップリング軸２１は植付爪３０のクランク運動と共に間欠回転を行い、ピン２１ａ，２１ｂにて施肥機駆動軸３２，３３を駆動している。」（第５頁第３〜１１行）
▲２▼ホッパーの支持について、「側条施肥機の支持は上ロールケース３５に固設した支持フレーム１３ａにて行っており、支持フレーム１３ａは植付駆動ケース３１より延設した支柱１３に支持されている。」（第５頁第１２〜１５行）及び「側条施肥機を田植機の植付部に取り付けるにおいて、植付部の植付駆動ケースより支柱を突出して、該支柱の上端に支持フレームを横方向に固設し、該支持フレームに施肥機の繰り出しロールケース、ホッパー、ガイドパイプ等を固設し、支柱下端の植付駆動ケースヘの取付位置を駆動ケースの前部としたものである。」（第２頁第１７行〜第３頁第４行）
▲３▼図面からみて、乗用型走行車体に昇降機構介して伝動される植付駆動ケース３１と植付駆動ケース３１の上方で左右往復動ずる苗載台と植付駆動ケース３１に装着された回転軸からクランクアームを介して駆動された苗載台に載置された苗から一株分の苗と取り出して圃場に植付ける植付装置と植付駆動ケースの下方に装着されたフロート９を装備する田植作業機を装着したものが記載されている。
▲４▼第２図及び第３図からみて、駆動ロッドは、植付駆動ケース３１の後端部側方でクランク式植付機構と駆動連結したものが記載されている。
２−３．本件発明と刊行物１記載の発明の対比
　そこで本件発明と刊行物１記載の発明を対比する。
　刊行物１発明における「施肥機支持フレーム１３ａ及び支柱１３」「ホッパー１４」「繰り出しロールケース」「センターフロート及びサイドフロート９Ｌ、９Ｃ」「駆動ロッド１９」は、それぞれ、本件発明における「施肥フレーム４０」「肥料タンク４１」「肥料繰出装置４２」「整地フロート２０、２１」「駆動ロッド９６」に相当する。
　そして、刊行物１記載の４条植えの田植機のうち左側２条を図示した（第４頁第２〜４行参照）第２図及び第５図には、サイドフロート９Ｌとセンターフロート９Ｃの間に植付駆動ケースが１つ図示されており、図示されていない右側２条にも同様の植付駆動ケースが設けられていると認められる。このような、複数の植付駆動ケースを設けた乗用型田植機の場合、本件発明のように昇降機構２２を介して主伝動ケース１５ａより動力を機体後方に伝動する複数の副伝動ケース１５ｂを設けて動力を配分することが慣用されているので（例えば、特開昭５８−８９１０８号公報等）、刊行物１記載の「植付駆動ケース３１」は、本件発明の「副伝動ケース１５ｂ」に相当するものであり、また、刊行物１に主伝動ケースが省略されて記載されていることは自明なことといえる。
　さらに、前述したように「施肥機駆動軸３２，３３の動力は植付爪５０のクランク部にアーム１８を固設して取り出している。」（刊行物１の第５頁第４〜５行）と記載されている。植付爪を駆動するクランク部は、本出願前周知慣用されているクランク式の植付装置の構造からみて、回転軸の駆動によりクランク部が駆動されて植付爪が作動するものであって、刊行物１に「植付爪５０のクランク部」と記載されていることから、刊行物１には、クランク部を駆動する回転軸が省略されて記載されていることは明らかであると認められる。そして、刊行物１の第２図及び第３図からみて、駆動ロッドは、植付駆動ケース３１（本件発明の副伝動ケース１５ｂに相当）の後端部側方でクランク部と駆動連結していると認められる。
　以上のことから、本件発明と刊行物１記載の発明は、▲１▼本件発明が、「各副伝動ケース１５ｂに設けられた前記各々の回転軸９８から植付装置１９を経由せずに歯車９９・１０１を介して分岐伝動されて駆動回転する」、即ち、植付装置１９を経由せずに複数設けられた回転軸の各々から動力分岐され動力が伝達されるものであるのに対して、刊行物１記載の発明は、植付装置を経由して動力が伝達されるものであって、また、他の回転軸からも動力が分岐されて駆動回転するか不明な点、▲２▼本件発明が駆動回転する軸１０２により駆動ロッドが駆動されるのに対して、刊行物１記載の発明はクランク部を介して駆動ロッドが駆動される点、▲３▼本件発明が「機体左右方向に長い枠組み構成とした施肥フレーム」であるのに対して、刊行物１記載の発明は「機体左右方向に長いフレーム構成とした施肥フレーム」である点で相違し、その他の点で両者は一致する。
［相違点の検討・判断］
　そこで、これらの相違点について検討する。
（相違点▲１▼）平成１１年５月１７日付けの訂正拒絶理由通知を兼ねた取消理由通知において、肥料繰出装置の駆動を「各副伝動ケース１５ｂに設けられた前記各々の回転軸９８から動力分岐されて駆動回転する」ものは、本出願前周知である（例えば、実願昭５６−１３２７８７号（実開昭５８−３８２２０号）のマイクロフィルム、実願昭５９−２１８７５号（実開昭６０−１３３７３０号）のマイクロフィルム、実願昭５９−９８３９号（実開昭６０−１２１７２５号）のマイクロフィルム、実願昭５９−４１０５８号（実開昭６０−１５１３１３号）のマイクロフィルム、実願昭５９−３０４３８号（実開昭６０−１４１７３０号）のマイクロフィルム等）としたが、これら例示した刊行物のいずれにも本件発明の構成要件である「植付装置１９を経由せずに歯車９９・１０１を介して分岐伝動されて駆動」する点は記載されていない。また、他に当該構成要件を有するものは発見されない。
　そして、本件発明は係る構成要件を有することにより、本件特許明細書記載の作用効果を奏するものと認められる。
　してみると、他の相違点を検討するまでもなく、刊行物１発明及び周知の技術的事項に基づいて、本件発明の如く構成することは、当業者といえども容易になし得たとはいえない。
　以上のことから、本件発明が、特許出願の際に独立して特許を受けることができないものとはいえない。
　したがって、上記訂正請求は、特許法等の一部を改正する法律（平成６年法律第１１６号）附則第６条第１項の規定によりなお従前の例によるとされる、特許法第１２０条の４第２項、同条第３項で準用する１２６条第２〜４項の規定に適合するので、当該訂正を認める。
４．特許異議申し立てについて
４−１．申立理由の概要
　申立人は、証拠方法として、
甲第１号証（実願昭５９−５３０３７号（実開昭６０−１６４８３１号）のマイクロフィルム）
甲第２号証（特開昭５８−８９１０８号公報）
甲第３号証（実願昭５５−１５９２７０号（実開昭５７−８２１２４号）のマイクロフィルム）
を提出し、訂正前の請求項１に係る発明は、甲第１〜３号証に記載された発明に基づき当業者が容易に発明をすることができたものであるから、訂正前の請求項１にかかる特許は、特許法第２９条第２項の規定に違反してされたもので、取り消されるべきものである旨を主張している。
４−２．甲各号証記載の事項
［甲第１号証記載の事項］
　上記３−３．の項の［刊行物１記載の事項］で摘記した事項が記載されている。
［甲第２号証］
▲１▼「（８）は走行車体（１）の後部に平行リンク機構（９）及びヒッチ機構（１０）を介して上下動自在で且つ着脱自在に取付く苗植装置を示し、該苗植装置は、走行車体１から伸縮自在軸（ｌｌ）を介して動力伝達される伝動ケース（１２）、この伝動ケース（１２）の左右両側にパイプ状支持部材を介して横方向に適宜間隔で取付く植付ケース（１３）（１３）（１３）、各植付ケースの下面に前部が自在に上下動するように枢着したフロート（１４）（１５）（１４）及び上端が走行車体に近づくように傾斜した苗載台（１６）とからなり、各植付ケースの後端には苗植機構（１７）が設けられている。」（公報第２頁右上欄第３〜１３行）。
▲２▼第２、４図には、伝動ケース（１２）から動力を伝動する前後方向に長い複数の植付けケース（１３）が記載されている。
［甲第３号証］
▲１▼「中央の長い主フロート（９）の後部寄り両側及び両側の短い両サイドフロート（１０）（１０）の後部寄り内側には各植付爪（５）により苗を植付ける植付部（イ）をそれぞれ装着し、主フロート（９の前部上方に搭載するエンジン（Ｅ）の後方両側には車輪（１１）（１１）をそれぞれ軸装する伝動ケース（１２）（１２）を配備し、エンジン（Ｅ）の後方における駆動ケース（１３）より両側の両植付ケース（４）（４）に伝動できるように装設し、両植付ケース（４）（４）の下部及び駆動ケース（１３）の下部両側より駆動軸（７）（７）を突設し、各植付爪（５）の植付アーム（６）中間部に一端を枢着する各駆動アーム（１４）の他端を各駆動軸（７）に固設し、」（第２頁第６〜１８行）。
▲２▼「駆動軸（７）の回転により各植付爪が駆動されながら苗を植付部（イ）にそれぞれ植付けるとともに、駆動軸（７）よりスプロケット（２７）（２６）、チェーン（８）を介して繰出しロール（２）が回転駆動され、該操出しロール（２）により繰出される肥料がホース（２５）内から作溝体（２９）内へ送出され、作溝体（２９）により形成される作構内に施肥されて、苗の近傍に施肥が行われる。」（第４頁第１４行〜第５頁第１行）
４−３．判断
　甲第１〜３号証のいずれにも、本件発明の構成要件である「各副伝動ケース１５ｂに設けられた前記各々の回転軸９８から植付装置１９を経由せずに歯車９９・１０１を介して分岐伝動されて駆動回転する」点が記載されていない。
　そして、本件発明は、かかる構成要件を有することにより、本件特許明細書記載の作用効果を奏するものである。
　したがって、本件発明は、甲第１〜３号証記載の発明に基づいて当業者が容易に発明し得たものとはいえず、申立人の主張は採用できない。
５．むすび
　以上のとおりであるから、本件特許を申立人の主張する理由及び証拠方法によって取り消すことができない。
　また、他に本件特許を取り消すべき理由及び証拠方法も発見しない。
　よって、結論のとおり決定する。
【異議決定日】
平成１１年１０月１２日（１９９９．１０．１２）
【訂正の要旨】
（３）訂正の要旨
▲１▼訂正事項ａ
明細書の【特許請求の範囲】【請求項１】の、
　「乗用型走行車体１に昇降機構２２を介して主伝動ケース１５ａより動力を機体後方に伝動する前後方向に長い複数の副伝動ケース１５ｂを有する植付伝動ケース１５と該植付伝動ケース１５の上方で左右往復動する苗載台１６と各副伝動ケース１５ｂの後部に各々装着された回転軸９８にて駆動され苗載台１６に載置された苗から一株分の苗を取り出して圃場に植付ける植付装置１９と植付伝動ケース１５の下方に装着された整地フロート２０・２１とを装備する田植作業機１４を装着し、該田植作業機１４に施肥装置３９を装着した施肥装置付き乗用型田植機において、該田植作業機１４の副伝動ケース１５ｂ後部に機体左右方向に長い枠組み構成とした施肥フレーム４０の下部を固定し、該施肥フレーム４０に機体左右方向に並設した肥料タンク４１と該肥料タンク４１から肥料を繰り出す肥料繰出装置４２を装着すると共に、各副伝動ケース１５ｂに設けられた前記各々の回転軸９８の駆動力にて駆動されて上下動する各駆動ロッド９６の上部を各々の回転軸９８にて駆動される植付装置１９が植付ける苗に対して肥料を繰り出す肥料繰出装置４２に各々連繋したことを特徴とする施肥装置付き乗用型田植機。」
の記載を、
　『乗用型走行車体１に昇降機構２２を介して主伝動ケース１５ａより動力を機体後方に伝動する前後方向に長い複数の副伝動ケース１５ｂを有する植付伝動ケース１５と該植付伝動ケース１５の上方で左右往復動する苗載台１６と各副伝動ケース１５ｂの後部に各々装着された回転軸９８にて駆動され苗載台１６に載置された苗から一株分の苗を取り出して圃場に植付ける植付装置１９と植付伝動ケース１５の下方に装着された整地フロート２０・２１とを装備する田植作業機１４を装着し、該田植作業機１４に施肥装置３９を装着した施肥装置付き乗用型田植機において、該田植作業機１４の副伝動ケース１５ｂ後部に機体左右方向に長い枠組み構成とした施肥フレーム４０の下部を固定し、該施肥フレーム４０に機体左右方向に並設した肥料タンク４１と該肥料タンク４１から肥料を繰り出す肥料繰出装置４２を装着すると共に、各副伝動ケース１５ｂに設けられた前記各々の回転軸９８
から植付装置１９を経由せずに歯車９９・１０１を介して分岐伝動されて駆動回転し各副伝動ケース１５ｂの後端部側方に突出する軸１０２に取付けたクランク９７
と訂正する。
▲２▼訂正事項ｂ
明細書の【発明の詳細な説明】の〔課題を解決するための手段〕の項の、
　「この発明は、前記の課題を解決するために、乗用型走行車体１に昇降機構２２を介して主伝動ケース１５ａより動力を機体後方に伝動する前後方向に長い複数の副伝動ケース１５ｂを有する植付伝動ケース１５と該植付伝動ケース１５の上方で左右往復動ずる苗載台１６と各副伝動ケース１５ｂの後部に各々装着された回転軸９８にて駆動され苗載台１６に載置された苗から一株分の苗を取り出して圃場に植付ける植付装置１９と植付伝動ケース１５の下方に装着された整地フロート２０・２１とを装備する田植作業機１４を装着し、該田植作業機１４に施肥装置３９を装着した施肥装置付き乗用型田植機において、該田植作業機１４の副伝動ケース１５ｂ後部に機体左右方向に長い枠組み構成とした施肥フレーム４０の下部を固定し、該施肥フレーム４０に機体左右方向に並設した肥料タンク４１と該肥料タンク４１から肥料を繰り出す肥料繰出装置４２を装着すると共に、各副伝動ケース１５ｂに設けられた前記各々の回転軸９８の駆動力にて駆動されて上下動する各駆動ロッド９６の上部を各々の回転軸９８にて駆動される植付装置１９が植付ける苗に対して肥料を繰り出す肥料繰出装置４２に各々連繋したことを特徴とする施肥装置付き乗用型田植機としたものである。」
の記載を、
　『この発明は、前記の課題を解決するために、乗用型走行車体１に昇降機構２２を介して主伝動ケース１５ａより動力を機体後方に伝動する前後方向に長い複数の副伝動ケース１５ｂを有する植付伝動ケース１５と該植付伝動ケース１５の上方で左右往復動する苗載台１６と各副伝動ケース１５ｂの後部に各々装着された回転軸９８にて駆動され苗載台１６に載置された苗から一株分の苗を取り出して圃場に植付ける植付装置１９と植付伝動ケース１５の下方に装着された整地フロート２０・２１とを装備する田植作業機１４を装着し、該田植作業機１４に施肥装置３９を装着した施肥装置付き乗用型田植機において、該田植作業機１４の副伝動ケース１５ｂ後部に機体左右方向に長い枠組み構成とした施肥フレーム４０の下部を固定し、該施肥フレーム４０に機体左右方向に並設した肥料タンク４１と該肥料タンク４１から肥料を繰り出す肥料繰出装置４２を装着すると共に、各副伝動ケース１５ｂに設けられた前記各々の回転軸９８
から植付装置１９を経由せずに歯車９９・１０１を介して分岐伝動されて駆動回転し各副伝動ケース１５ｂの後端部側方に突出する軸１０２に取付けたクランク９７
と訂正する。
▲３▼訂正事項ｃ
明細書の【発明の詳細な説明】の〔発明の効果〕の項の
　「この発明は、田植作業機１４の副伝動ケース１５ｂ後部に機体左右方向に長い枠組み構成とした施肥フレーム４０の下部を固定し、該施肥フレーム４０に機体左右方向に並設した肥料タンク４１と該肥料タンク４１から肥料を繰り出す肥料繰出装置４２を装着したので、複数の副伝動ケース１５ｂ後部上方に施肥装置３９の肥料タンク４１及び肥料タンク４１から肥料を繰り出す肥料繰出装置４２を機体左右方向に長くしてコンパクトに配置でき、然も、肥料繰出装置４２は、副伝動ケース１５ｂの後部に装着された植付装置１９の上方に位置するようになるから、肥料繰出装置４２から繰出された肥料はすぐ下方の植付け位置の近くに適切に施され、肥料詰まり等の発生も少なくて適切な施肥作業が行える。
　また、田植作業機１４の副伝動ケース１５ｂ後部に機体左右方向に長い枠組み構成とした施肥フレーム４０の下部を固定し、各副伝動ケース１５ｂに設けられた前記各々の回転軸９８の駆動力にて駆動されて上下動する各駆動ロッド９６の上部を各々の回転軸９８にて駆動される植付装置１９が植付ける苗に対して肥料を繰り出す肥料繰出装置４２に各々連繋したので、各肥料繰出装置４２を駆動する特別の駆動系を乗用型走行車体１側から配設する必要がなく、単に、各副伝動ケース１５ｂにより植付装置１９を駆動する動力をそのまま利用でき、然も、両者は比較的に近い位置に配置されることになると共に各回転軸９８に各肥料繰出装置４２を駆動する負荷がかかるので安定した駆動が行えて、機体構成が簡単でありながら適切な田植作業及び施肥作業を行うことができる。」
の記載を、
　『この発明は、田植作業機１４の副伝動ケース１５ｂ後部に機体左右方向に長い枠組み構成とした施肥フレーム４０の下部を固定し、該施肥フレーム４０に機体左右方向に並設した肥料タンク４１と該肥料タンク４１から肥料を繰り出す肥料繰出装置４２を装着したので、複数の副伝動ケース１５ｂ後部上方に施肥装置３９の肥料タンク４１及び肥料タンク４１から肥料を繰り出す肥料繰出装置４２を機体左右方向に長くしてコンパクトに配置でき、然も、肥料繰出装置４２は、副伝動ケース１５ｂの後部に装着された植付装置１９の上方に位置するようになるから、肥料繰出装置４２から繰出された肥料はすぐ下方の植付け位置の近くに適切に施され、肥料詰まり等の発生も少なくて適切な施肥作業が行える。
　また、田植作業機１４の副伝動ケース１５ｂ後部に機体左右方向に長い枠組み構成とした施肥フレーム４０の下部を固定し、各副伝動ケース１５ｂに設けられた前記各々の回転軸９８
から植付装置１９を経由せずに歯車９９・１０１を介して分岐伝動されて駆動回転し各副伝動ケース１５ｂの後端部側方に突出する軸１０２に取付けたクランク９７
と訂正する。
（５４）【発明の名称】
施肥装置付き乗用型田植機
（５７）【特許請求の範囲】
　乗用型走行車体１に昇降機構２２を介して主伝動ケース１５ａより動力を機体後方に伝動する前後方向に長い複数の副伝動ケース１５ｂを有する植付伝動ケース１５と該植付伝動ケース１５の上方で左右往復動する苗載台１６と各副伝動ケース１５ｂの後部に各々装着された回転軸９８にて駆動され苗載台１６に載置された苗から一株分の苗を取り出して圃場に植付ける植付装置１９と植付伝動ケース１５の下方に装着された整地フロート２０・２１とを装備する田植作業機１４を装着し、該田植作業機１４に施肥装置３９を装着した施肥装置付き乗用型田植機において、該田植作業機１４の副伝動ケース１５ｂ後部に機体左右方向に長い枠組み構成とした施肥フレーム４０の下部を固定し、該施肥フレーム４０に機体左右方向に並設した肥料タンク４１と該肥料タンク４１から肥料を繰り出す肥料繰出装置４２を装着すると共に、各副伝動ケース１５ｂに設けられた前記各々の回転軸９８
から植付装置１９を経由せずに歯車９９・１０１を介して分岐伝動されて駆動回転し各副伝動ケース１５ｂの後端部側方に突出する軸１０２に取付けたクランク９７
【発明の詳細な説明】
〔産業上の利用分野〕
　この発明は、粒状の肥料を圃場に施す施肥装置を装着した乗用型田植機に関するものである。
〔従来技術とその課題〕
　この種の従来技術としては、実開昭５９−３４５０７号公報に開示されたような施肥装置を装着した乗用型田植機がある。
　然し乍ら、従来のものは、植付爪を駆動する複数の出力軸の内の一つの出力軸のみで全施肥装置の駆動をする構成であるので、該植付爪を駆動する一つの出力軸に駆動負荷が集中し、作業時に田植作業機が不規則な振動を起こしたり、植付爪の作動及び肥料を繰り出す肥料繰出装置の作動が安定せず、良好な苗植付け作業及び施肥作業が行えなかった。
〔課題を解決するための手段〕
　この発明は、前記の課題を解決するために、乗用型走行車体１に昇降機構２２を介して主伝動ケース１５ａより動力を機体後方に伝動する前後方向に長い複数の副伝動ケース１５ｂを有する植付伝動ケース１５と該植付伝動ケース１５の上方で左右往復動する苗載台１６と各副伝動ケース１５ｂの後部に各々装着された回転軸９８にて駆動され苗載台１６に載置された苗から一株分の苗を取り出して圃場に植付ける植付装置１９と植付伝動ケース１５の下方に装着された整地フロート２０・２１とを装備する田植作業機１４を装着し、該田植作業機１４に施肥装置３９を装着した施肥装置付き乗用型田植機において、該田植作業機１４の副伝動ケース１５ｂ後部に機体左右方向に長い枠組み構成とした施肥フレーム４０の下部を固定し、該施肥フレーム４０に機体左右方向に並設した肥料タンク４１と該肥料タンク４１から肥料を繰り出す肥料繰出装置４２を装着すると共に、各副伝動ケース１５ｂに設けられた前記各々の回転軸９８
から植付装置１９を経由せずに歯車９９・１０１を介して分岐伝動されて駆動回転し各副伝動ケース１５ｂの後端部側方に突出する軸１０２に取付けたクランク９７
〔発明の効果〕
　この発明は、田植作業機１４の副伝動ケース１５ｂ後部に機体左右方向に長い枠組み構成とした施肥フレーム４０の下部を固定し、該施肥フレーム４０に機体左右方向に並設した肥料タンク４１と該肥料タンク４１から肥料を繰り出す肥料繰出装置４２を装着したので、複数の副伝動ケース１５ｂ後部上方に施肥装置３９の肥料タンク４１及び肥料タンク４１から肥料を繰り出す肥料繰出装置４２を機体左右方向に長くしてコンパクトに配置でき、然も、肥料繰出装置４２は、副伝動ケース１５ｂの後部に装着された植付装置１９の上方に位置するようになるから、肥料繰出装置４２から繰出された肥料はすぐ下方の植付け位置の近くに適切に施され、肥料詰まり等の発生も少なくて適切な施肥作業が行える。
　また、田植作業機１４の副伝動ケース１５ｂ後部に機体左右方向に長い枠組み構成とした施肥フレーム４０の下部を固定し、各副伝動ケース１５ｂに設けられた前記各々の回転軸９８
から植付装置１９を経由せずに歯車９９・１０１を介して分岐伝動されて駆動回転し各副伝動ケース１５ｂの後端部側方に突出する軸１０２に取付けたクランク９７
〔実施例〕
　以下、この発明の一実施例を図面に基づき詳細に説明する。
　１は乗用型走行車体で、前端側のミッションケース２と後端側に後輪伝動ケース３とをフレームパイプ４で連結した車体１ａの前部左右両側に前輪５・５を操行可能に設け、後部左右両側に前記後輪伝動ケース３の両端に取付けたサイドケース６・６を介して後輪７・７を設け、車体１ａの前後中間にエンジン８を装着し、この車体１ａの上部に左右に幅の広いステップ９を張設に、この前側にステップ部を左右両側に残す状態で操縦枠１０を立設してこれの上部にハンドル１１を設け、後側部分に前記エンジン８を囲むエンジンカバー１２をステップ９から突出ならしめ、このカバー１２の上部に操縦席１３を設けている。
　１４は田植作業機で、植付伝動ケース１５の前側上部に、前位が上位に傾斜する苗載台１６を左右に往復可能に設け、後側部に、回転ケース１７に２基の移植具１８が装着された植付装置１９を装着し、下部側に整地フロート２０・２１を装着した構成になっている。そして、この植付伝動ケース１５はその前側を苗載台１６の左右往復機構や変速伝動機構を内装する主伝動ケース１５ａに、後側を左右に所定の間隔で分岐させて前記回転ケース１７を装着伝動する副伝動ケース１５ｂに構成している。
　２２は昇降機構で、前記後輪伝動ケース３に設けた支柱２３に基部を枢着した上下リンク２４・２５の先端部を縦リンク２６で枢着状態に連結して構成し、この上リンク２４を車体側から油圧装置２７で昇降可能に構成し、前記縦リンク２６にローリング可能に支軸２８を介して前記田植作業機１４を装着している。
　２９ａ・２９ｂはブラケットで、前記ミッションケース２の前側に設けた前枠３０の左右両側及び前記車体４の前後中間部の両側に、ステップ９の外方へ喰みださないようにして突出され、これに適宜な部材を着脱可能に構成している。
　３１は予備苗載置装置で、前記ブラケット２９ａ・２９ｂに基部側を装着できる着脱枠３２に略々門型状の支柱３３をピン３３ａを介して回動自在に取付け、この支柱３３に苗載せ台３４を三段にして取付け、この支柱３３をばね３５で外方へ回動付勢するように設けると共にその外方への回動状態を数段に規制できる規制装置３６を前記着脱枠３２と支柱３３との間に設けている。図例の規制装置３６は着脱枠３２に回動可能に取付けられた鋸歯状のノッチを一体的に設けたペダル３７と支柱３３側に設けられて前記ノッチに係脱するピン３８とからなっている。
　３９は施肥装置で、前記田植作業機１４の植付伝動ケース１５の各副伝動ケース１５ｂの上面に着脱自在に装着される施肥フレーム４０に、肥料タンク４１と、該肥料タンクから肥料を繰り出す肥料繰出装置４２と、この肥料繰出装置の下部に繰り出された肥料を受けて下部の圃場に導き所定の間隔で放出する肥料移送管４３とこの移送管４３の終端側に設けた作溝器４４とで構成される肥料排出装置４５と、送風機４７ａと、空気タンク４７ｂと、風導管４８等を一体的になるようにして装着したものである。
　この施肥装置３９の各部を詳細に説明すると次の通りである。
　施肥フレーム４０は、前記副伝動ケース１５ｂに固着される支柱４０ａの上部を前方へ屈曲させてその先端に横枠４０ｂを止着して各支柱４０ａを連結し、この横枠４０ｂに側面視でＬ字型、逆Ｌ字型の屈局枠４０ｃ・４０ｄを介して横方向に延びる上枠４０ｅを止着し、前記横枠４０ｂに筒状の空気タンク４７ｂと前記施肥装置の肥料繰出装置４２の肥料繰出ケース本体４２ａを取付けるブラケット４８ａ・４９を取付けた構成になっている。
　肥料繰出装置４２は、内部に繰出ロール４６が収納架設されるケース本体４２ａと繰出ロール４６を軸架する左枠４２ｂとクラッチケース部を構成する右枠４２ｃとに分割可能に繰出ケースを構成し、ケース本体４２ａの前側に位置する取付け部（イ）を前記ブラケット４９に螺着可能に構成し、前記左枠４２ｂには基部が螺軸（ロ）で先端側が非螺軸（ハ）に設けられた筒軸５０を一体的に設け、該螺軸（ロ）部に平歯車５１を螺合し、非螺軸（ハ）部にブッシュ５２・５２を圧入して、この部分に溝付繰出ロール４６ａを回転自在に設け、この溝付繰出ロール４６ａの溝に嵌合して軸方向に移動自在な繰出調節ロール４６ｂを前記平歯車５１のボス部５１ａ部に回転自在に係合して軸方向には該平歯車５１と一体的に動くように構成し、駆動軸５３を前記右枠４２ｃ側から挿通して前記筒軸５０に回転自在な状態に嵌合ならしめ、この軸５３からクラッチ機構５４を介して溝付繰出ロール４６ａを回転するように構成されている。
　前記平歯車５１のボス部５１ａと繰出調節ロール４６ｂとの連結は、該ボス部５１ａにブッシュ５５を圧入し、繰出調節ロール４６ｂの内周に形成した突状リング（ニ）を前記ブッシュ５５の端面に接当するようにしてボス部５１ａに嵌合し、ボス部５１ａの端面に抜止リング５６を螺着した構造にしている。
　前記クラッチ機構５４は、次の構成である。
　前記溝付繰出ロール４６ａの外側面にクラッチ爪を一体的に形成し、このクラッチ爪に前記駆動軸５３に軸方向に移動自在に楔着されるクラッチ体５７に一体に形成したクラッチ爪をばね５８で弾発係合ならしめ、該クラッチ体５７の操作溝５７ａに係合されるクラッチピン５９ｂを前記繰出ケース本体４２ａ外から偏心回動することでクラッチ爪とクラッチ爪との係脱を可能ならしめ、クラッチの断続ができるように構成している。尚、前記クラッチピン５９ｂは、前記ケース本体４２ａと右枠４２ｃとの合体時に、その両合体面に形成する半円状の切欠部（ホ）・（ホ）で形成される円周面で抜け止めされた状態で前記ケース本体４２ａ側に軸受け保持されたクラッチ軸５９の内端面に偏心して一体的に設けられ、このクラッチ軸５９の外端部に操作レバー５９ａが一体に形成されている。
　前記クラッチ機構５４のばね５８の一端側はクラッチ体５７に接圧され、他端は右枠４２ｃ内面に接圧されるが、この右枠４２ｃ内面に接圧する部分にブレーキがかかるようにばね５８と右枠４２ｃとの間にブレーキ板６０を介装している。このようにすると、常に駆動軸５３にブレーキがかかって回転し難くなり、ラチェット伝動機構で該駆動軸５３を回転するような場合に軸が揺動せず不測に繰出ロールが揺動して肥料が垂れ流しになるようなことがなくなり的確な繰出が可能になる。
　６１は肥料取出樋で、前記ケース本体４２ａの背面側開口部（ヘ）にピン６２で回動自在に枢着され、常にケース内に挿入されている部分はケース内幅一杯の板体にできていて、ケース外に開く部分は側板と底板とでできた流し樋の形状に構成され、この肥料取出樋６１で前記開口部（へ）を開閉可能に構成し、閉じた状態ではケース内の板体部はケースの内面に沿う状態になって肥料の繰出し流下の邪魔にならず、開いた状態では繰り出される肥料を受けて肥料がケースの外側に排出されるように構成している。尚、該肥料取出樋６１のケース内の板体の少なくとも先端側にゴム板やブラシ等のシール体６３を取付け、取出樋６１の開放時にシール体６３が繰出ロールの回転周面、特に繰出溝面に接合して肥料の流下を確実に防止している。
　６４は連れ出し防止用の堰止ブラシで、前記ケース本体４２ａの背面側開口部（へ）の左右内壁面に外側上部から内側下部に向かう樋６５に嵌合して抜き差し自在に設けた移動部材６６に、前後方向に移動調節設定可能に止着されている。６７は移動部材６６に固着の板体であり、繰出ロールの外周面にその端面が接近して肥料を受ける機能を行なうものである。
　そして、前記堰止ブラシ６４及び板体６７が一体的に取付けられた移動部材６６を樋６５に嵌合して差し込み、前記肥料取出樋６１を閉じると、この樋６１で該移動部材６６が動かないように接圧されて固定されるように構成されている。
　ケース本体４２ａ側の外側面の各所に設けられている回動自在な係止爪６８は、前記左枠４２ｂ、右枠４２ｃ、肥料取出樋６１を取付けたとき、閉鎖したときに係止するもので、６９はその係合ピン、７０は接合時のノックピンを示す。
　尚、７１は肥料流入口、７２は肥料排出口を示す。
　前記の肥料タンク４１は、下部側が漏斗状に形成されていて、前記ケース本体４２ａの肥料流入口７１に漏斗が臨むようにして該ケース本体４２ａに固着されている。
　７４は漏斗で、前記ケース本体４２ａの肥料排出口７２の外周に嵌合させて取付けられ、この漏斗の下部側は筒状態に構成され、この筒状部に空気吹き込み筒７５が一体的に形成されている。
　４５は肥料排出装置で、前記田植作業機１４の整地フロート２０・２１に取付けられた作溝器４４の開口部に臨む移送管４３が前記漏斗７４の下端に連通ならしめた構成になっている。
　４７ａは送風機で、本体部が筒状の電動モータ８０の一側面に回転送風羽根が内装された送風ケース８１を一体的に設け、前記屈曲枠４０ｄに締め付けバンド８２を介して電動モータの筒部外周を取り巻くようにして着脱自在に取付けている。８３は前記バンドの係止バックルを示す。
　４７ｂは空気タンクで、左右方向に長い気密のタンクに形成され、前記ブラケット４８に固着されている。そして、この空気タンク４７ｂに前記送風機４７ａから空気が吹き込まれるように、両者を送風管８５で連設している。
　４８は風導管で、前記空気タンク４７ｂと前記漏斗７４の吹き込み筒７５とを連結している。
　８７は繰出し調節装置で、各肥料繰出装置４２の繰出量を格別に調節する夫々の前記平歯車５１と、前記施肥フレーム４０の左右両側に支持されて、その一端側に設けられたレバー８８で回転可能な回転軸８９に取付けた歯車９０とを噛み合わせて、該軸８９を正逆回転ならしめることにより前記平歯車５１を前記筒軸５０の軸芯方向に移動ならしめ、繰出調節ロール４６ｂを左右に移動調節して肥料の繰出量が一挙に調節できるように構成している。尚、前記歯車９０は、軸８９の軸方向に移動できて、前記平歯車５１との噛み合いが外せるように構成してあり、これを外した状態で平歯車５１を手動回転させるとその肥料繰出装置４２のみの繰出量が調節できるように構成されている。
　具体的には、第１４図・第１５図の通り、軸８９に外周形状が六角の固定部材９１をロールピン８４で固定し、この固定部材９１に歯車９０を嵌合ならしめ、ばね９２で軸に固定のストッパ９３側に弾圧して該歯車９０をばね９２に抗して移動できるように構成している。
　尚、前記平歯車５１の外側面に繰出量を決める目安になる目盛と数字を歯形に対応して設け、この所定の目盛数字歯形を前記左枠４２ｂの横方行目盛枠部（ト）に位置させることによって微量調節設定ができ、平歯車５１の外側面を前記目盛枠部（ト）の適当な目盛数字に合せることによって多量調節設定ができるように構成している。
　前記作溝器４４は、鉄板や合成樹脂で平面視がＶ型或はＵ型状の後部が開口された形状に設けられていて、上下方向に長く、前記整地フロート２０・２１の苗植付け部を整地する部分の横側に土壌面に下端が突っ込まれる状態で該フロートに取付けられている。そして、前記植付装置１９の回転ケース１７との関係位置は、該回転ケース１７の前側に近い位置にあり、この作溝器４４のＶ字或はＵ字の空間内に上方から介入する前記移送管４３は、前記植付伝動ケース１５の副伝動ケース１５ｂと植付装置１９の先端側外側部に取付けられて首振り移植運動をする移植具１８との間に介装され、しかも、回転ケース１７の前側に位置ならしめている。換言すれば、副伝動ケース１５ｂと回転ケース１７と移植具１８と苗載台１６とで形成される空間（チ）内に移送管４３が介入される構成になっている。このようにすると、構成が非常にコンパクトになるばかりでなく、移送管４３を左右に折曲げないで配設できて肥料詰りを少なくすることができる。尚、前記肥料繰出装置４２の排出口７２とこれに連設される漏斗７４は回転ケース１７の上方部に位置して前記移送管４３が左右に曲げられないでストレートに配設され回転ケース１７や移植具１８の作動を阻害しない構成になっている。
　前記駆動軸５３の伝動は、該軸５３に一方向回転機構としてのラチェット機構９４を前記軸５３に装着し、その作動レバー９５を駆動ロッド９６を介して前記副伝動ケース１５ｂの下端側の一側部に突出して回転されるように設けたクランク９７に連設し、このクランク９７の回転によってレバー９５が上下に揺動されて駆動軸５３が一定の方向に伝動回転されるように構成されている。
　前記クランク９７は、前記回転ケース１７の回転軸９８に平歯車９９を取付け、前記副伝動ケース１５ｂの後端に施肥装置３９を装着しない場合に取付けられる蓋の代わりにクランク伝動枠１００を装着すると、この伝動枠１００の内部にあらかじめ軸架した従動中間平歯車１０１が前記平歯車９９と噛み合い、これに噛合う歯車１０２ａが取付けられる軸１０２が回転され、この軸１０２に取付けられているクランク９７が作動される構成になっている。そして、このクランク９７は、前記副伝動ケース１５ｂから側方へ大きく突出する前記回転軸９８を包む軸受メタル（リ）の後方位でやや高い位置に配設されている。このような位置にクランク９７が配設されると該クランク９７に泥土や泥水が掛かり難くなって極めて有効である。
　前記肥料タンク４１内に設けられた肥料切れセンサー１０３は、該タンク４１内の下部側斜面に装着されていて、肥料圧を受けてセンシングするように構成されている。そして、該肥料タンク４１はバランスの関係でできるだけ前方に位置するようにするため、タンク内面の壁面を前方側が緩くなる傾斜に構成し、この緩い傾斜面に貼付られる格好にして該センサー１０３が設けられている。このようにすると肥料が少なくなってもセンサーが肥料圧を充分に受けることができて的確に肥料切れを検出できる。尚、このセンサー１０３はブザーあるいは警告灯に連結されることは謂うまでまない。また、このセンサー１０３の前側には、前記空気タンク４７ｂが位置する状態に延びている構成にしているから、センサー部分が充分に保護され、不測にこのセンサー部分に異物が衝突して破損されたり検出性能が変わってしまう等の事態を防止できる。１０４は肥料詰り表示器で、前記施肥フレーム４０に回動可能に設けた後板８４の背面に装着され、前記作溝器４４の内壁前面から適当間隔離して垂下した電導拝１０５と該作溝器４４壁面との間に肥料が詰ったり、作溝器内に進入する泥水に肥料が充分溶けた肥料詰りの状態になったときに両者間に難なく電気が流れるのを検出してこれを表示するものである。尚、この肥料詰り検出機構１０６によると、水田の泥土や、泥水にほとんど影響されないで正確な検出ができる。１０７は該検出機構１０６の調整装置で、検出感度を圃場に応じて調整するものである。即ち、電導抵抗を調整することによって、未だ肥料が撒かれていない時点の圃場における泥水が充分に電導性を有するとき、検出機構が働らいて誤報するのを防止するものである。
　次に、上例の作用について説明する。
　先ず、乗用型走行車体１側に予備苗を多量搭載するときは、第１図及び第２図に示した通り、予備苗載置装置３１を前側及び後側の各ブラケット２９ａ・２９ｂに装着して多量の苗を搭載する。多量の苗を搭載する必要がないときは、前側の両サイドあるいは後側の両サイドの予備苗載置装置３１を外しておくとよい。
　この状態において、田植作業機１４の苗載台１６に苗を搭載すると共に、各肥料タンク４１に粒状の肥料を収納して、乗用型走行車体１を前進しながら各伝動回転部を駆動すると、苗載台１６が左右に往復移動して、その下端側に苗が繰り出される。そして、回転ケース１７の回転と共に移植具１８が揺動してその移植爪が上下に長い閉ループ状の移植軌跡を描いて運動し、前記苗載台１６から一株分づつの苗を分割保持して整地フロート２０・２１で整地した水田の土壌面に苗が植付けられる。
　一方、回転ケース１７の回転軸９８から歯車９９・ｌ０１を介して伝動されるクランク９７で施肥装置３９の各駆動軸５３が駆動ロッド９６、レバー９５、ラチェット機構９４を介して一定方向に回転伝動される。このため、クラッチ５４を「入」にしておくと繰出ロール４６が回転されて肥料タンク４１から肥料が繰り出されて下部の漏斗７４に排出され、移送管４３内を流下して作溝器４４の開口部に排出される。このとき、送風機４７ａによる圧風が空気タンク４７ｂで溜められ、この高圧空気が風導管４８を介して漏斗７４下部の移送管４３内へ吹き込まれ強制的に移送管４３内を流下する肥料を作溝器４４内へ的確に移送するこのようにして、作溝器４４で開口される溝内に撒かれた肥料は、その後に覆土板１０８で溝が埋め戻されて土壌面下に埋没される。
　このようにして、苗植付け作業と施肥作業とが同時に行われるが、各肥料繰出装置４２の繰出量を夫々調節するには、歯車９０を移動させて歯車５１との噛み合いを外し、該歯車５１を正あるいは逆に回転して筒軸５０の螺子で該歯車５１を左右に移動させ、これにより繰出調節ロール４６ｂを移動して調節するとよい。また、各肥料繰出装置４２の繰出量を一挙に調節するには、レバー８８で回転軸８９を正逆回転すると歯車９０で歯車５１が回転されて前記と同じように調節ができる。
　次に、作業が終わり、肥料タンク４１内の肥料を排出する場合には、肥料取出樋６１を第８図の仮想線のように開口ならしめ、堰止ブラシ６４が装備された移動部材６６を引き抜くとタンク４１内の肥料が肥料取出樋６１で受けられてそのまま後側の外部へ排出される。排出される肥料は適宜収容器で受けるとよい。
　また、この肥料繰出装置４２の繰出ロール４６部分やその他の適宜な部分を掃除したり、洗浄後の水切りをするときには、送風機４７ａを外して風を吹き付けると簡単に清掃、水切りができる。
　そして、特に、田植作業機１４の副伝動ケース１５ｂ後部に機体左右方向に長い枠組み構成とした施肥フレーム４０の下部を固定し、該施肥フレーム４０に機体左右方向に並設した肥料タンク４１と該肥料タンク４１から肥料を繰り出す肥料繰出装置４２を装着したので、複数の副伝動ケース１５ｂ後部上方に施肥装置３９の肥料タンク４１及び肥料タンク４１から肥料を繰り出す肥料繰出装置４２を機体左右方向に長くしてコンパクトに配置でき、然も、肥料繰出装置４２は、副伝動ケース１５ｂの後部に装着された植付装置１９の上方に位置するようになるから、肥料繰出装置４２から繰出された肥料はすぐ下方の植付け位置の近くに適切に施され、肥料詰まり等の発生も少なくて適切な施肥作業が行える。
　また、田植作業機１４の副伝動ケース１５ｂ後部に機体左右方向に長い枠組み構成とした施肥フレーム４０の下部を固定し、各副伝動ケース１５ｂの後端部に設けられた前記各々の回転軸９８の駆動力にて駆動されて上下動する各駆動ロッド９６の上部を各々の回転軸９８にて駆動される植付装置１９が植付ける苗に対して肥料を繰り出す肥料繰出装置４２に各々連繋したので、各肥料繰出装置４２を駆動する特別の駆動系を乗用型走行車体１側から配設する必要がなく、単に、各副伝動ケース１５ｂにより植付装置１９を駆動する動力をそのまま利用でき、然も、両者は比較的に近い位置に配置されることになると共に各回転軸９８に各肥料繰出装置４２を駆動する負荷がかかるので安定した駆動が行えて、機体構成が簡単でありながら適切な田植作業及び施肥作業を行うことができる。
【図面の簡単な説明】
　図は、この発明の一実施例を示したもので、第１図は施肥装置付き乗用型田植機の全体側面図、第２図は施肥装置付き乗用型田植機の全体平面図、第３図は要部の正断面図、第４図は要部の一部断面右側面図、第５図は要部の一部断面背面図、第６図は要部の一部断面左側面図、第７図は要部の背面図、第８図は要部の側断面図、第９図は要部の背断面図、第１０図は要部を分解した状態の斜視図、第１１図は要部の背面図、第１２図は要部の一部断面右側面図、第１３図は要部の断面図、第１４図は要部の断面図、第１５図はその側面図を示す。
　図中の符号、１は乗用型走行車体、１４は田植作業機、１５は植付伝動ケース、１５ａは主伝動ケース、１５ｂは副伝動ケース、１６は苗載台、１９は植付装置、２０・２１は整地フロート、２２は昇降機構、３９は施肥装置、４０は施肥フレーム、４１は肥料タンク、４２は肥料繰出装置、９６は駆動ロッド、９８は回転軸である。